(57)【要約】【課題】  部品点数を削減してコストダウンを図り、組立性を向上させ、低背化を図ること。【解決手段】  アンテナ装置１０Ａは、トップカバー２５Ａとベース６０とから成るアンテナケースと、トップカバーに装着されるロッドアンテナ２０と、アンテナケース内に収容され、増幅回路を搭載した回路基板１５Ａと、ロッドアンテナで受信された受信信号を受けると共に、ロッドアンテナをトップカバーに固定するコネクタ部３０と、を有する。アンテナ装置１０Ａは、回路基板１５Ａの端面に形成された端面スルーホール１５ｂと、一端部４０ａがコネクタ部に取り付けられ、他端部４０ｂが端面スルーホールに弾性接触されるロッド側端子４０Ａと、を有する。【選択図】      図３
2009296095.tif 000002
【特許請求の範囲】
【請求項１】
トップカバーとベースとから成るアンテナケースと、
前記トップカバーに装着されるロッドアンテナと、
前記アンテナケース内に収容され、増幅回路を搭載した回路基板と、
前記ロッドアンテナで受信された受信信号を受けると共に、前記ロッドアンテナを前記トップカバーに固定するコネクタ部と、
を有するアンテナ装置において、
前記回路基板の端面に形成された端面スルーホールと、
一端部が前記コネクタ部に取り付けられ、他端部が前記端面スルーホールに弾性接触されるロッド側端子と、
を有するアンテナ装置。
【請求項２】
前記端面スルーホールは金メッキされている、請求項１に記載のアンテナ装置。
【請求項３】
前記ロッド側端子は、バネ性のある金属で構成されている、請求項１又は２に記載のアンテナ装置。
【請求項４】
前記ロッドアンテナは、ＡＭ／ＦＭラジオや電話帯の電波を受信するためのものである、請求項１乃至３のいずれか１つに記載のアンテナ装置。
【発明の詳細な説明】
【技術分野】
【０００１】
本発明は、アンテナ装置に関し、特に、トップカバーに装着されたロッドアンテナを回路基板に接続するための接続構造に関する。
【背景技術】
【０００２】
この技術分野において周知のように、現在、自動車等の車両には種々のアンテナ装置が搭載される。例えば、そのようなアンテナ装置として、ＡＭ／ＦＭラジオ用アンテナがある。ＡＭ／ＦＭラジオ用アンテナとしては、一般的に、ロッドアンテナが使用される。
【０００３】
ロッドアンテナを備えたアンテナ装置は、通常、次のような構成をしている。ロッドアンテナはトップカバーに装着される。トップカバーはベースと組み合わされて、アンテナケースを構成する。このアンテナケース内には、増幅回路（ブースタ回路）を搭載した回路基板が収容されている。ロッドアンテナは、支持金具（コネクタ部）によってトップカバーに支持・固定されている。支持金具（コネクタ部）は、ロッドアンテナで受信された受信信号を受ける。
【０００４】
このような構造のアンテナ装置においては、ロッドアンテナ（支持金具、コネクタ部）を回路基板（増幅回路、ブースタ回路）に電気的に接続する必要がある。そのような接続構造は、従来から種々提案されている。
【０００５】
例えば、特開２００７−１３２７３号公報（特許文献１）は、回路基板の上面上に導電部材（受け側ターミナル部品）を搭載したものを開示している。回路基板の下面には、ブースタ回路が配置されている。導電部材（受け側ターミナル部品）は、ロッドアンテナ（アンテナエレメント）と接続され、ブースタ回路と電気的接続を取るためものものである。この場合、後述する図１を参照して説明するように、コネクタ部に一端部が取り付けられたロッド側端子（コンタクト）の他端部を、導電部材（受け側ターミナル部品）に差し込んで電気的に接触させる必要がある。
【０００６】
また、特開２００２−１５１９２７号公報（特許文献２）は、増幅回路（アンプ）とロッドアンテナ（アンテナ素子）とを接続するアンテナ信号用コンタクトを開示しいている。この特許文献２に開示されたアンテナ信号用コンタクトは、細長い板金によりアンテナ素子に接触するためのコンタクト部と、回路基板（プリント基板）へ取り付けるための取付け部とが一体に形成されている。コンタクト部は、取付け部に対して鋭角に折曲されている。取付け部は、その中央部をコンタクト部とは反対方向に突出して逆家形状に折曲された固定部が形成され、更にその家形状の屋根状部の両端にプリント基板へ係止するための係止爪が形成されている。固定部をプリント基板に穿設された孔に挿入して、アンテナ信号用コンタクトをプリント基板に確実に固定している。
【０００７】
【特許文献１】特開２００７−１３２７３号公報
【特許文献２】特開２００２−１５１９２７号公報
【発明の開示】
【発明が解決しようとする課題】
【０００８】
特許文献１に開示された接続構造では、ロッド側端子（コンタクト）と、導電部材（受け側ターミナル部品）とから構成されるので、部品点数が多くなり、コストがアップするという問題がある。また、２つの部品からなるので、組立性に劣るという問題ある。また、導電部材（受け側ターミナル部品）を回路基板の上面上に搭載しているので、そのためのスペースが必要となり、アンテナケースの低背化を図ることが困難となる。
【０００９】
一方、特許文献２に開示されたアンテナ信号用コンタクトは、構成が複雑であるという問題がある。また、プリント基板（回路基板）に孔を穿設する必要があるので、プリント基板（回路基板）の面積を広げる必要があり、アンテナ装置が大型化してしまうという問題がある。
【００１０】
したがって、本発明の課題は、部品点数を削減してコストダウンを図ることができるアンテナ装置を提供することにある。
【００１１】
本発明の他の課題は、組立性を向上させることができるアンテナ装置を提供することにある。
【００１２】
本発明の更に他の課題は、低背化を図ることができるアンテナ装置を提供することにある。
【００１３】
本発明の別の課題は、構成が簡単な接続構造を持つ、アンテナ装置を提供することにある。
【００１４】
本発明のもっと別の目的は、回路基板の面積を広げる必要がなく、小型のアンテナ装置を提供することにある。
【課題を解決するための手段】
【００１５】
本発明によれば、トップカバー（２５Ａ）とベース（６０）とから成るアンテナケースと、トップカバーに装着されるロッドアンテナ（２０）と、アンテナケース内に収容され、増幅回路を搭載した回路基板（１５Ａ）と、ロッドアンテナで受信された受信信号を受けると共に、ロッドアンテナをトップカバーに固定するコネクタ部（３０）と、を有するアンテナ装置において、回路基板（１５Ａ）の端面に形成された端面スルーホール（１５ｂ）と、一端部（４０ａ）がコネクタ部に取り付けられ、他端部（４０ｂ）が端面スルーホールに弾性接触されるロッド側端子（４０Ａ）と、を有するアンテナ装置（１０Ａ）が得られる。
【００１６】
上記本発明に係るアンテナ装置（１０Ａ）において、端面スルーホール（１５ｂ）は金メッキされていることが好ましい。ロッド側端子（４０Ａ）は、バネ性のある金属で構成されていることが望ましい。ロッドアンテナ（２０）は、ＡＭ／ＦＭラジオや電話帯の電波を受信するためのものであってよい。
【００１７】
尚、上記括弧内の符号は、本発明の理解を容易にするために付したものであり、一例にすぎず、これらに限定されないのは勿論である。
【発明の効果】
【００１８】
本発明では、回路基板の端面に端面スルーホールを形成し、ロッド側端子の一端部をコネクタ部に取り付け、他端部を端面スルーホールに弾性接触させているので、部品点数を削減してコストダウンを図ることができ、組立性を向上させることができ、低背化を図ることができる。
【発明を実施するための最良の形態】
【００１９】
以下、図面を参照して、本発明の実施の形態について詳細に説明する。
【００２０】
最初に図１を参照して、本発明の理解を容易するにするために、上述した特許文献１に開示されている接続構造を持つ、従来のアンテナ装置１０について説明する。図１は、従来のアンテナ装置１０の内部構造を示すために一部を切り欠いた部分拡大斜視図である。
【００２１】
図示のアンテナ装置１０は、トップカバー２５とダイカストベース６０とからなるアンテナケースと、トップカバー２５に装着されるロッドアンテナ２０とを有する。ロッドアンテナ２０は、ＡＭ／ＦＭラジオや電話帯の電波を受信するためのものである。アンテナケース内には、増幅回路（図示せず）を搭載した回路基板１５が収容されている。ロッドアンテナ２０は、鉛直線から傾斜して配置される。ロッドアンテナ２０は、コネクタ部（支持金具）３０によって、トップカバー２５に固定（支持）されている。このコネクタ部３０は、ロッドアンテナ２０で受信された受信信号を受ける。
【００２２】
回路基板１５の上面１５ａには、導電部材（受け側ターミナル部品）８０が搭載されている。この導電部材（受け側ターミナル部品）８０は、ロッドアンテナ２０と後述するように接続され、増幅回路（ブースタ回路）と電気的接続を取るためものものである。
【００２３】
アンテナ装置１０は、ロッド側端子（コンタクト）４０を更に有する。ロッド側端子（コンタクト）４０の一端部４０ａは、コネクタ部３０に取り付けられ、ロッド側端子（コンタクト）４０の他端部４０ｂは、導電部材（受け側ターミナル部品）８０に差し込んで電気的に接触されている。
【００２４】
尚、ダイカストベース６０の下面はベースパッド７０で覆われている。ダイカストベース６０には、その下部に自動車のルーフパネルへの取付け用のボス６５が形成されている。ボス６５の外周面には雄ネジ（図示せず）が形成されている。また、回路基板１５には、出力ケーブル（図示せず）の一端部が接続され、ダイカストベース６０にはこの出力ケーブルを外部へ引き出すための孔（図示せず）が形成されている。
【００２５】
このような従来のアンテナ装置１０の接続構造は、ロッド側端子（コンタクト）８０と、導電部材（受け側ターミナル部品）８０とから構成されるので、部品点数が多くなる。その結果、コストがアップするという問題がある。また、アンテナ装置１０の接続構造は、２つの部品からなるので、組立性に劣るという問題もある。また、導電部材（受け側ターミナル部品）８０を回路基板１５の上面１５ａ上に搭載しているので、そのためのスペースが必要となり、アンテナケースの低背化を図ることが困難となる。
【００２６】
図２及び図３を参照して、本発明の一実施の形態に係るアンテナ装置１０Ａについて説明する。図２はアンテナ装置１０Ａの内部構造を示すために一部を切り欠いた斜視図である。図３は図２に示したアンテナ装置１０Ａの主要部を示す、一部切欠き部分拡大分解斜視図である。
【００２７】
図示のアンテナ装置１０Ａは、導電部材（受け側ターミナル部品）８０が削除されるとともに、ロッド側端子（コンタクト）、回路基板、およびトップケースが、後述するように変更されている点を除いて、図１に示したアンテナ装置１０と同様の構成を有する。したがって、ロッド側端子（コンタクト）、回路基板、およびトップケースに、それぞれ、４０Ａ、１５Ａ、および２５Ａの参照符号を付してある。図１に示したものと同様の機能を有するものには同一の参照符号を付し、以下では、説明の簡略化のために、相違点についてのみ説明する。
【００２８】
図示のアンテナ装置１０Ａは、従来のアンテナ装置１０と異なり、導電部材（受け側ターミナル部品）８０を備えていない。そのため、トップケース２５Ａは、従来のアンテナ装置１０のトップケース２５よりも背が低くなっている。その結果、導電部材（受け側ターミナル部品）８０を回路基板１５の上面１５ａ上に搭載するためのスペースが不要となり、アンテナケース（２５Ａ、６０）の低背化を図ることが可能となる。
【００２９】
図３に示されるように、ロッドアンテナ２０は、その基部で、外周面に雄ネジが切られた雄ネジ部２０ａを有する。一方、コネクタ部３０は、内周面に上記雄ネジが螺合される雌ネジが切られた雌ネジ部３０ａを有する。したがって、ロッドアンテナ２０の雄ネジ部２０ａをコネクタ部３０の雌ネジ部３０ａに螺合することによって、ロッドアンテナ２０をトップカバー２５Ａに装着（固定）することができる。
【００３０】
回路基板１５Ａは、その端面に端面スルーホール１５ｂが形成されている。この端面スルーホール１５ｂには、接触性を良好とするために、金メッキが施されている。ロッド側端子（コンタクト）４０Ａは、バネ性のある金属で構成されている。ロッド側端子（コンタクト）４０Ａの一端部４０ａは、コネクタ部３０に取り付けられている。ロッド側端子（コンタクト）４０Ａの他端部４０ｂは、上記端面スルーホール１５ｂに弾性接触される。ロッド側端子（コンタクト）４０Ａの一端部４０ａは、コネクタ部３０の先端にネジ止めやカシメ、半田付けによって固定される。
【００３１】
これにより、ロッドアンテナ２０（コネクタ部３０）と回路基板１５Ａとの間の信号導通を図っている。また、ロッド側端子（コンタクト）４０Ａは、バネ性のある金属で構成されており、トップカバー２５Ａがダイカストベース６０にネジ止めなどによって固定されることによって、ロッド側端子（コンタクト）４０Ａの他端部４０ｂが、回路基板１５Ａに形成された端面スルーホール１５ｂに弾性接触され、常に端面スルーホール１５ｂには定圧が加わる。また、ロッド側端子（コンタクト）４０Ａの一端部４０ａは、回路基板１５Ａの面に対して傾斜を持ってコネクタ部３０に固定されているが、ロッド側端子（コンタクト）４０Ａの中間で回路基板１５Ａの面と略平行となるように屈曲され、他端部４０ｂは回路基板１５Ａの面にほぼ垂直な方向に折り曲げられているから、他端部４０ｂと端面スルーホール１５ｂとが確実に係合され、その結果、接触の安定性を向上させることができる。
【００３２】
尚、ボス６５の外周面には雄ネジ６５ａが形成されている。また、回路基板１５Ａには、出力ケーブル５０の一端部が接続され、ダイカストベース６０にはこの出力ケーブル５０を外部へ引き出すための孔６０ａが形成されている。
【００３３】
上述したように、本実施の形態に係るアンテナ装置１０Ａでは、導電部材（受け側ターミナル部品）８０（図１）を用いずに、増幅回路を搭載した回路基板１５Ａのみで受けの接合を図っている。これにより、部品点数の削減を図ると共に、組立ての簡略化を実現している。
【００３４】
以上、本発明について好ましい実施の形態によって説明してきたが、本発明は上述した実施の形態に限定しないのは勿論である。
【図面の簡単な説明】
【００３５】
【図１】従来のアンテナ装置１０の内部構造を示すために一部を切り欠いた部分拡大斜視図である。
【図２】本発明の一実施の形態に係るアンテナ装置の内部構造を示すために一部を切り欠いた斜視図である。
【図３】図２に示したアンテナ装置１０Ａの主要部を示す、一部切欠き部分拡大分解斜視図である。
【符号の説明】
【００３６】
１０Ａ    アンテナ装置
１５Ａ    回路基板
１５ａ    上面
１５ｂ    端面スルーホール
２０    ロッドアンテナ
２０ａ    雄ネジ部
２５Ａ    トップカバー
３０    コネクタ部
３０ａ    雌ネジ部
４０Ａ    ロッド側端子（コンタクト）
４０ａ    一端部
４０ｂ    他端部
５０    出力ケーブル
６０    ダイカストベース
６０ａ    孔
６５    ボス
６５ａ    雄ネジ
７０    ベースパッド
【図１】
2009296095.tif 000003
【図２】
2009296095.tif 000004
【図３】
2009296095.tif 000005